(57)【要約】【課題】  台紙を閉じたときに、紙葉の折目が台紙の背表紙側の後端から突出することがなく、また、紙葉の折目部分の膨らみを隣合う台紙の後端部間で好適に吸収することができ、更に、台紙を見開いたときに当接する後端部同士の干渉による影響が少ない、新たな製本物を提供すること。【解決手段】  二つ折りされた紙葉６が隣り合う台紙５，５面に跨がって貼着された製本物１において、各台紙５の背表紙４側の後端部ｋを面取りすることにより、前記紙葉６が貼着された台紙５を閉じたとき、前記紙葉６の折目７の先端7aが隣り合う台紙５，５の背表紙４側の後端部ｋ，ｋの間に位置し、前記紙葉６が貼着された台紙５を見開いたとき、隣り合う台紙５，５の後端部ｋ，ｋ同士が当接すること。【選択図】  図２
2006142799.tif 000002
【特許請求の範囲】
【請求項１】
二つ折りされた紙葉が隣り合う台紙面に跨がって貼着された製本物において、
各台紙の背表紙側の後端部を面取りすることにより、
前記紙葉が貼着された台紙を閉じたとき、前記紙葉の折目の先端が隣り合う台紙の背表紙側の後端部の間に位置し、
前記紙葉が貼着された台紙を見開いたとき、隣り合う台紙の後端部同士が当接すること
を特徴とする製本物。
【請求項２】
面取りされた後端部は、傾斜面である請求項１の製本物。
【請求項３】
傾斜面は、平坦面又は弯曲面である請求項２の製本物。
【発明の詳細な説明】
【技術分野】
【０００１】
本発明は、アルバム，絵本，百科事典，広告媒体，その他の製本物に関し、特に、デジタルカメラで撮った写真やコンピュータで処理した画像等（以下、デジタル画像等という）を印画した紙葉が、隣り合う台紙間に跨って切れ目なく貼着された製本物に関する。
【背景技術】
【０００２】
最近、デジタル画像等を印画した紙葉を隣り合う台紙間に跨って貼着し、製本化する技術が提案されている。しかし、この製本化技術を用いた従来の製本物では、台紙の背表紙側の後端面が台紙面に対し直角をなす面であったため、見開いたとき隣り合う台紙の後端面同士がぶつかり合い、そのため見開きに障害が生じ、折目を跨いで大きく印画された写真などの視認性が良くないという問題があった。また、この従来の製本物では、デジタル画像を印画した紙葉を二つ折りしたときの折目が隣合う台紙の背表紙側の後端部間に位置しているが、この折目部分には若干の膨らみがあるため、台紙を閉じた場合、隣り合う台
紙の後端部間が僅かではあるが広がってしまうという問題もあった。また、折り目部分の膨らみのため、台紙と紙葉との間に空隙が出来てしまい、その部分の接着を十分なものとすることができなかった。そのため、複数枚の台紙を連設して製作した製本物の背表紙側が、台紙を閉じたとき、厚み方向において緩みが生じてしまい、紙葉部分の折り目の強度を良好に保つことができず、アルバムを何度も見開きした場合に、左右の台紙のハガレがあり、また、製本物として体裁も悪いという問題があった。
【０００３】
そこで、上記のような問題を解決するため、例えば、特許文献１では、二つ折りされた紙葉が隣り合う台紙上に跨がって貼着された製本物において、台紙を見開いたとき隣り合う台紙間に間隙が生じるようにすると共に、台紙を閉じたとき紙葉の折目が各台紙の後端縁より背表紙側に突出するようにした製本物が提案されている。この特許文献１において提案されている製本物は、台紙を見開いたとき隣り合う台紙間に間隙が生じるので、台紙の後端縁同士がぶつかり合うことはなく、また、見開きの角度が180度になる。更に、台紙を閉じたとき紙葉の折目が各台紙の後端縁より背表紙側に突出するので、折目部分の膨らみによる隣り合う台紙の後端部間を広げてしまうという問題も解決されている。
【０００４】
しかしながら、特許文献１において提案されている製本物は上記のような優れた面はあるが、その構成故に次のような別の問題が生じる。即ち、二つ折りされた紙葉を隣り合う台紙上に跨がって貼着するとき、紙葉の折目を、各台紙の後端縁より背表紙側へ一定量（幅）突出させるように調整するのが難しく、製本に手間がかかるという問題があった。また、紙葉の折目が各台紙の後端縁より背表紙側へ突出する分、その大きさを台紙より大きくするか、逆に台紙を小さくする必要があり、紙葉と台紙の大きさの規格を統一できないという問題があった。更に、台紙を見開いたとき隣り合う台紙間に間隙が生じるが、この
間隙は左右の台紙が両側から押圧されて狭まることがあり、その結果、間隙部分の紙葉に皺が生じ易いという問題があった。
【０００５】
また、特許文献２には、特許文献１で提案されている製本物と同様に、左右の頁に連続する印刷写真を載せることができる厚頁本とその製本装置について提案されている。詳細には、２頁分の大きさを有し、中央でＶ字折りされた紙葉に相当するプリント紙を、各背面間に台紙に相当する１頁分の大きさの補強用厚紙を接着して製本したもので、各プリント紙の中央部を補強用厚紙の端部よりも背側に補強用厚紙の厚さ分以上突出させ、開いたときに両側の補強用厚紙同士が干渉することがなく、フルフラットの状態に開くことを可能としたものであるため、特許文献１の製本物と同様の問題があった。
【特許文献１】特開２００３−１２７５６６号公報
【特許文献２】特開２００３−３００３８９号公報
【発明の開示】
【発明が解決しようとする課題】
【０００６】
本発明は、紙葉を貼着した台紙を閉じたときに紙葉の折目が台紙の背表紙側の後端から突出することがないため、台紙と、紙葉の折目を揃えて製本することが容易であり、また、紙葉の折目部分の膨らみを隣り合う台紙の後端部間で好適に吸収することができ、更に、台紙を見開いたときに当接する後端部同士の干渉による影響が少ない新たな製本物を提供することを、その課題とするものである。
【課題を解決するための手段】
【０００７】
上記課題を解決することを目的としてなされた本発明の構成は、二つ折りされた紙葉が隣り合う台紙面に跨がって貼着された製本物において、各台紙の背表紙側の後端部を面取りすることにより、前記紙葉が貼着された台紙を閉じたとき、前記紙葉の折目の先端が隣り合う台紙の背表紙側の後端部の間に位置し、前記紙葉が貼着された台紙を見開いたとき、隣り合う台紙の後端部同士が当接することを特徴とするものである。
【０００８】
本発明は、上記構成において、面取りした面を傾斜面にするのが好ましく、その傾斜面を平坦面又は弯曲面にした構成もある。
【発明の効果】
【０００９】
本発明製本物は、紙葉を貼着した台紙を閉じたとき、紙葉の折目の先端が隣合う台紙の背表紙側の後端部の間に位置し、折目が各台紙の背表紙側の後端から突出することはないので、製本が容易であり、しかも台紙と紙葉の大きさの規格を統一して管理できるので、大量生産が可能となり、製本コストを低減化することができるという効果が得られる。
【００１０】
更に、本発明製本物は、紙葉を貼着した台紙を見開いたとき、隣り合う台紙の後端部同士が当接するが、各台紙の背表紙側の後端部は面取りされているので、先細りした先端同士、又は、傾斜面同士などの当接となり、当りが柔らかく見開きの角度を１８０度にすることができる上に、これら後端部同士の当接がクッションの役割をするので、スムーズに開閉することができるという効果が得られる。更には、当接部分でのクッション性により、台紙が１８０度以上開くのを防ぐことができると共に、見開いたときの左右の台紙が当接部分で幅方向に位置ズレしないため、紙葉に皺ができるということもない。加えて、紙葉を貼着した台紙を閉じたとき、折目の膨らんだ部分を各台紙の面取りされている後端部により好適に吸収しアルバムの背表紙部分の膨らみを減少させることができ、更に、折目の膨らんだ部分と後端部との間に従来のような空隙が生じることがなく、該部の接着も良好となるため、強度の高い製本物を製作できるという効果も得られる。
【００１１】
更には、本発明製本物は、二つ折りした紙葉の折目部分の膨らみを、各台紙の背表紙側の後端部における向かい合った傾斜面の間に包込み、又は、傾斜面が形成されている後端部の裏面側で挟込むため、紙葉を貼着した台紙を閉じたとき、製本物の背表紙側が厚み方向において膨らんだり緩んだりすることはない。
【発明を実施するための最良の形態】
【００１２】
次に、本発明の実施の形態例を図に拠り説明する。図１は、本発明製本物の一例であるアルバムの斜視図、図２は、図１のアルバムの要部を拡大表示した側面図、図３乃至図７は、隣合う台紙の背表紙側の後端部の複数例の開閉状態を示す要部拡大側面図である。
【実施例】
【００１３】
図において、１はアルバム、２はこのアルバム１の表表紙、３は同じく裏表紙、４は同じく背表紙である。また、５は厚めの板紙による台紙、６はこの台紙５に貼着された紙葉で、二つ折りされた状態で隣り合う台紙５，５の表面に跨がって貼着されている。この紙葉６は、例えば、デジタルカメラで撮影した写真や、コンピュータで処理した画像などを印画したものである。なお、印画の方式は特に限定されるものではなく、例えば、インクジェットプリンタ，熱転写プリンタ、熱溶融型プリンタ，昇華型プリンタなどにより印画することができる。なお、台紙５の厚さは任意であるが、例えば0.5〜2.0ｍｍ程度、好ま
しくは0.6〜1.5ｍｍ程度の厚さのものが望ましい。
【００１４】
図２において、5aは台紙５の背表紙４側の後端面で、台紙５を面取りしたことにより形成された面、ここでは平坦な傾斜面に形成されている。後端面は、平坦な傾斜面5aのほか、図６に示したような弯曲した傾斜面5a′に形成してもよく、また、図示しないが円弧状の弯曲面や凹凸面、或いは、波状の面などに形成してもよい。なお、台紙の後端面は、通常、台紙面に対し直角な面であるが、本発明における面取りとは、こような直角の後端面の一部又は全面を加工し、傾斜面や弯曲面にすることをいう。
【００１５】
７は紙葉６を二つ折りしたときの折目、7aはこの折目７の先端である。折目７は図２に示したように僅かではあるが膨らんでいるため、この折目を面取りされていない台紙により挟むと、隣り合う台紙の後端部間が広がってしまい好ましくない。
【００１６】
本発明製本物は、台紙５の後端面を傾斜面5aに形成したので、図３に示したように、隣り合う台紙５，５の傾斜面5a，5aが互いに向かい合っている場合は、その間に形成される空間内に折目７の膨らんだ部分が入り、折目７の膨らみによる影響を回避することができる。また、図４に示したように、隣り合う台紙５，５の後端部ｋ，ｋにおける傾斜面5a，5aの背面側が向かい合っている場合は、図３に示したような空間は形成されないが、傾斜面5a，5aが形成された台紙５，５の後端部ｋは先細りしているので、先細りした後端部ｋの先端側に挟まれた折目７の膨らみによる影響は、その先細りした後端部ｋの先端側が傾
斜面5a，5a側に曲がることにより回避することができる。このように台紙５の後端部ｋに傾斜面5aを形成したことにより、折目７の膨らんだ部分と隣り合う台紙５，５の後端部ｋ，ｋとの接着（図３に示したものでは傾斜面5a，5aとの接着、図４に示したものでは傾斜面5a，5aの背面側との接着）が良好となり、強度の高い製本物を製作することが可能となる。なお、図１，図２に示したアルバム１では、隣り合う台紙５，５による図３に示した後端部kの構成の組合せになっているが、これ以外の組合せにすることもできる。
【００１７】
図５に示した台紙の後端部ｋは、隣り合う台紙５，５の傾斜面5a，5aを同じ方向に向けたもので、この場合は、図５における下側の台紙５の傾斜面5aと、上側の台紙５の傾斜面5aの裏面側との間に空間が形成されるので、その空間内に紙葉６の折目７の膨らんだ部分が入り、折目７の膨らみによる影響を回避することができる。また、図６に示した台紙の後端部ｋ′は、台紙５′の後端面が傾斜面であるが平坦面ではなく弯曲面5a′に面取りして形成された構成のものである。更に、図７に示した台紙の後端部ｋ″は、台紙の後端部を一部斜めに面取りして形成された構成のものである。これら図６，図７の場合も、図３
〜図５に示したと同様の組合せにすることができ、折目７の膨らみによる影響も同様に回避することができる。
【００１８】
次に、本発明製本物は、台紙を見開いたとき、隣り合う台紙の後端部同士が当接するようになっている。これは台紙を閉じたとき紙葉６の折目７の先端7aが隣り合う台紙の背表紙側の後端部の間に位置している構成にすることにより可能となる。具体的には、図３〜図７に示したように、折目７の先端7aを含む部分が、台紙５，５′，５″の傾斜面5a，5a′，5a″を含む後端部ｋ，ｋ′，ｋ″の間に位置している必要がある。
【００１９】
本発明製本物は、図２に示したように台紙５，５を180度見開いたとき、後端部ｋの先端5b，5b同士が当接するが、台紙５，５の後端部ｋは上述したように先細りしていて折れ曲がり易いので、先端5b，5b同士が当接しても、台紙５，５が180度開くのを妨げる要因にはならない。また、この先端5b，5b同士が当接することにより、これらがクッションの役割をするので、勢いよく開いたときに台紙の後端部ｋに作用する幅方向の力をある程度和らげることができ、更に、180度以上開くのを防ぐことができる。なお、隣り合う台紙の後端部同士の当接は、図５に示したように傾斜面5a，5a同士が当接することも含まれる。また、隣り合う台紙の後端部の一部同士が当接する場合も含まれる。
【００２０】
本発明製本物の実施例は以上の通りであるが、本発明に用いる台紙５の後端面に傾斜面5aを施すには公知の加工方法を適用でき、例えば、窓枠カッターを用いて加工することができる。また、本発明製本物の製造方法は、一例として、図３〜図７に示したように紙葉６が二つ折りされた状態で隣り合う台紙５，５の表面に跨がって貼着されたものの複数組みを重ね合わせ、それらの後端又は前端を揃えて台紙同士を貼着し、最外側に位置する両側の台紙５，５をそれぞれ表表紙２，裏表紙３に貼着して製造されるが、この製造方法に限定されるものではなく、本発明製本物を製造することができる他の方法により製造して
もよい。
【００２１】
なお、重ねた台紙の背表紙側の上下端に、花布（ハナギレ、ヘッドバンドともいう）を貼着する場合もある。これは、製本物の背表紙側の上下端に１ｃｍ程度貼着し、上下端から飾り布を少し飛び出させることにより、製本物を見栄え良くするためのものである。ただ、従来の花布をアルバムのような厚手の製本物に適用した場合、従来のものでは相応の厚みを有するため、アルバムを見開いたときに、台紙と台紙の間に食い込んでしまい、見開きに支障を生ずる場合がある。したがって、アルバムのように、製本物を構成する台紙が相当の厚みを有する場合には、その上下端に貼着する部分は、食い込んでも支障のない程度の厚みとすることが好ましい。例えば、貼着される部分に厚みの小さい布を使用したり、上下端から飛び出す部分と薄手の貼着物（例えば、紙や寒冷沙など）とを接着させて、従来と同様に背表紙端部に貼着したりすることなどが考えられる。
【産業上の利用可能性】
【００２２】
本発明製本物は、見開いた左右の台紙に跨って大きな写真を印画した１枚の紙葉を切れ目なく貼着でき、しかも180度、水平になるまで開くことができるので見映えがよく、また、180度開いたときに台紙の後端部間が当接して間隙ができないので、従来の見開いたときに隣り合う台紙の後端縁間に間隙が形成される製本物と違い、台紙の後端部間が狭まって紙葉に皺ができるということもない。更に、紙葉の折目部分の膨らみによる悪影響を好適に回避しているので、台紙の背表紙側の後端部に緩みがなく強度ある製本物にすることができる。更には、本発明製本物はアルバムのほか、絵本，百科事典などにも適用することができ、また、マンションや建売住宅などの広告や新車の広告用に、更に、美術館などの展示品の写真を印画した説明用の厚頁本などにも適用することができる。
【図面の簡単な説明】
【００２３】
【図１】本発明製本物の一例であるアルバムの斜視図。
【図２】図１のアルバムの要部を拡大表示した側面図。
【図３】隣り合う台紙の背表紙側の後端部の一例の開閉状態を示す要部拡大側面図。
【図４】隣り合う台紙の背表紙側の後端部の別例の開閉状態を示す要部拡大側面図。
【図５】隣り合う台紙の背表紙側の後端部の他の一例の開閉状態を示す要部拡大側面図。
【図６】隣り合う台紙の背表紙側の後端部の他の別例の開閉状態を示す要部拡大側面図。
【図７】隣り合う台紙の背表紙側の後端部の他の別の一例の開閉状態を示す要部拡大側面図。
【符号の説明】
【００２４】
１                  アルバム
２                  表表紙
３                  裏表紙
４                  背表紙
５，５′，５″      台紙
5a，5a′，5a″      傾斜面
5b，5b′，5b″      後端部の先端
６                  紙葉
７                  折目
7a                  折目の先端
ｋ，ｋ′，ｋ″      後端部
【図１】
2006142799.tif 000003
【図２】
2006142799.tif 000004
【図３】
2006142799.tif 000005
【図４】
2006142799.tif 000006
【図５】
2006142799.tif 000007
【図６】
2006142799.tif 000008
【図７】
2006142799.tif 000009